(57)【要約】      （修正有）【課題】携帯電話機を自在の位置に保持可能な携帯電話機自在スタンドを提供する。【解決手段】携帯電話機ホルダーを自在アームの先部に設け、前記の自在アーム基部に固定手段が設けられた携帯電話機を自在の位置に保持可能な携帯電話機自在スタンドを用いて、作業や操作などを行う場所で対象物を鮮明に撮影できる位置に前記の携帯電話機自在スタンドの自在アームと固定手段を利用して撮影手段を搭載した情報配信機能を有する携帯電話機を設置し、前記の携帯電話機の情報配信機能を利用して遠隔地に前記対象物の映像情報と音声情報を配信し、遠隔地より音声情報や携帯電話機の情報配信機能を用いた各種情報による指示を受信しながら行う作業方法を提供するものである。【選択図】図１
2007036437.tif 000002
【特許請求の範囲】
【請求項１】
撮影手段を搭載した情報配信機能を有する携帯電話機を自在の位置に保持可能な携帯電話機自在スタンドであって、携帯電話機ホルダーが自在アームの先部に設けられ、前記の自在アーム基部に固定手段を設けたことを特徴とする携帯電話機自在スタンド。
【請求項２】
撮影手段を搭載した情報配信機能を有する携帯電話機を自在の位置に保持可能な携帯電話機自在スタンドであって、携帯電話機ホルダーが自在アームの先部にホルダー支持板を介して着脱自在に設けられ、前記の自在アーム基部に固定手段を設けたことを特徴とする携帯電話機自在スタンド。
【請求項３】
携帯電話機ホルダーを自在アームの先部に設け、前記の自在アーム基部に固定手段が設けられた携帯電話機を自在の位置に保持可能な携帯電話機自在スタンドを用いて、作業や操作などを行う場所で対象物を鮮明に撮影できる位置に前記の携帯電話機自在スタンドの自在アームと固定手段を利用して撮影手段を搭載した情報配信機能を有する携帯電話機を設置し、前記携帯電話機の情報配信機能を利用して遠隔地に前記対象物の映像情報と音声情報を配信し、遠隔地より音声情報や携帯電話機の情報配信機能を用いた各種情報による指示を受信しながら行う作業方法。
【発明の詳細な説明】
【技術分野】
【０００１】
本発明は遠隔地において業務指示を受けるために使用する映像配信機能を有する携帯電話機の撮影および通信機能を補完するスタンドとその利用方法に関するものである。
【背景技術】
【０００２】
従来、例えば、遠隔地に納入設置した機械装置に故障が発生した際に、作業ができる技能をもった人員を派遣して対応していた。しかし、携帯電話機の出現と発達により携帯電話機を利用して作業することもあった。一方、携帯電話機を手で持たずに使用するための携帯電話機スタンドおよびホルダーとしては以下の様な提案もなされている。
【０００３】
携帯電話機を用いて撮影する際に使用できる携帯電話機スタンドには、下記のようなものがある。
水平な平滑面にのみ３脚状の構造により定置できるスタンド。（例えば特許文献１参照。）および、水平な平滑面のみ立てた状態で置ける携帯電話機スタンドおよびホルダー。（例えば特許文献２および特許文献３参照。）さらに平滑な面に両面テープ等により貼付け固定できる携帯電話機スタンドおよびホルダー。（例えば特許文献４参照。）
【特許文献１】特開２００３−２１０２９１号公報（図１）
【特許文献２】特開２００４−３２８６７２号公報（図１）
【特許文献３】登録実用新案第３０９７７６４号公報（図１）
【特許文献４】登録実用新案第３０９７７６４号公報（図１１および１２）
【発明の開示】
【発明が解決しようとする課題】
【０００４】
とこが、従来の上記の様なスタンドを使用して作業するには、下記のような問題点がある。
業務指示を受けるための映像送信を行う際に、携帯電話機を置ける水平な平滑面が無
いと片手で携帯電話を保持する必要があり両手が必要な作業が難しい。また、手持ちの場合には手ぶれにより鮮明な映像を撮影するのが難しい。
水平面があっても撮影対象物に対して、所望する視界やへの距離が確保できるとは限
らない。また、水平な平滑面があっても振動などにより携帯電話機が動いてしまうことがある。
例えば、遠隔地に納入設置した機械装置に故障が発生した際は、修理作業ができる技
能をもった熟練者を出張させる必要が発生し、費用と時間を必要とした。
本発明は、従来の方法が有するこのような問題点を解決しようとするものである。
【課題を解決するための手段】
【０００５】
上記の問題点を解決するために、本発明は撮影手段を搭載した情報配信機能を有する携帯電話機を自在の位置に保持可能な携帯電話機自在スタンドであって、携帯電話機ホルダーが自在アームの先部に設けられ、前記の自在アーム基部に固定手段を設けたことを特徴とする携帯電話機自在スタンドである。
【０００６】
撮影手段を搭載した情報配信機能を有する携帯電話機を自在の位置に保持可能な携帯電話機自在スタンドであって、携帯電話機ホルダーが自在アームの先部にホルダー支持板を介して着脱自在に設けられ、前記の自在アーム基部に固定手段を設けたことを特徴とする携帯電話機自在スタンドである。
【０００７】
携帯電話機ホルダーを自在アームの先部に設け、前記の自在アーム基部に固定手段が設けられた携帯電話機を自在の位置に保持可能な携帯電話機自在スタンドを用いて、作業や操作などを行う場所で対象物を鮮明に撮影できる位置に前記の携帯電話機自在スタンドの自在アームと固定手段を利用して撮影手段を搭載した情報配信機能を有する携帯電話機を設置し、前記の携帯電話機の情報配信機能を利用して遠隔地に前記対象物の映像情報と音声情報を配信し、遠隔地より音声情報や携帯電話機の情報配信機能を用いた各種情報による指示を受信しながら行う作業方法である。
【０００８】
本発明に用いる携帯電話機のホルダーは合成樹脂、金属材料などを素材とし、携帯電話機を確実に保持できる物であれば、市販されている公知の携帯電話機ホルダーでもかまわない。但し、携帯電話機の機種にこだわらず保持できることやホルダーの傾きに関係なく携帯電話機を確実に保持するために、面ファスナー等の容易脱着ができる構造を有する携帯電話機固定用のストラップの使用が望ましい。また、作業しながら会話できるハンズフリー用イヤホンマイクや、電力消費の大きい映像配信を利用するために電力供給コネクタを接続できる構造であることが望ましい。
【０００９】
自在アームは合成樹脂、金属材料などを素材とし、携帯電話機およびホルダーの重量を支え、その位置を自在に変位させ保持できる剛性を有するフレキシブルチューブ等の柔軟に動く構造物で構成されていることが望ましい。
【００１０】
固定手段は、例えばテーブルクランプやスタンド用マグネット、吸着パッドなど、自在アームを支えるのに充分な剛性と固定したい位置を固持できる拘束力を有し、必要に応じて容易に脱着できるように拘束力を制御できる構造物で構成されていることが望ましい。
【発明の効果】
【００１１】
本発明は、以下に記載する効果がある。
携帯電話機を任意の位置に自由に配置し固定できるので必要な映像を手ぶれなく撮影
できる。
水平な平滑面が無くても固定手段を選択することで、携帯電話機を任意の位置に固定
することができる。
両手が自由に使えるため、ハンズフリー用イヤホンマイクを利用した場合には会話し
ながら多彩な作業ができる。
消費電力の多い情報配信機能を使用しても、充電用の電力供給コネクタを接続した場
合はバッテリー上がりの心配がない。
映像配信が可能な地域において、例えば保守等のサービス業務を必要とする現場に熟
練した技術者を派遣しなくても、本発明の携帯電話機自在スタンドと映像配信機能を有する携帯電話機を使用すれば、距離に関係なく指示に必要な映像を送信し会話することで、現場の状況を正確に把握した熟練者が適切な指示だせるため、初心者でも高度なサービス作業が可能になる。
それぞれ異なる遠隔地に存在する複数のサービス現場を、本発明の携帯電話機自在ス
タンドと映像配信機能を有する携帯電話機を複数使用することにより、ひとりの熟練者が複数のサービス現場について管理及び、技術サポートをすることが可能となる。
７．５項および６項により旅費及び人件費の節約や作業時間の短縮ができ、顧客に短時間で品質の良いサービスを安価に提供できる。
【発明を実施するための最良の形態】
【００１２】
実施の最良の形態について図面を参照にして説明する。
図１は本発明の携帯電話機自在スタンドで、合成樹脂、金属材料などを素材とする携帯電話機ホルダー２と自在アーム３と固定手段４ａにより構成されている。
携帯電話機ホルダー２は、図２−１，２−２に示すように携帯電話機１を保持するストラップ２aと携帯電話機１の下部背面を支える背面板２ｂ、前記の背面板２ｂに回転の支点を持ち携帯電話機１の下部と正面下部を支える可倒式Ｌ型の受け板２ｃで構成されている。また、受け板２ｃはハンズフリー用イヤホンマイク１ａや電力供給用コネクタ１ｂが脱着できる形状に作られている。携帯電話機ホルダー２の大きさは携帯電話機１を保持でき、自在アーム３との接合に必要な構造強度を有する必要最小限に収めてある。
【００１３】
ストラップ２aは、合成皮革や各種繊維で織られた布などを素材として、携帯電話機１の表面を覆う程度の大きさがあれば良い。図１では、幅１ｃｍ程度の帯状形態を示している。また、図２−１に示す、受け板２ｃに設けた平面状ファスナーの受け部２ｄ―１や、図２−２に示す、背面板２ｂに設けた平面状ファスナーの受け部２ｄ―２と、ストラップ２a側に設けた平面状ファスナーの引っ掛け部により、取り付け位置を任意に変更できるよう構成されている。
さらに、携帯電話機１は機種により撮影用のレンズの位置が異なるものが多く存在するので、前記のストラップ２aは携帯電話機１の仕様相違に対応する形状や大きさのものと容易に交換できるよう構成されている。また、図３に示すように下向きに取り付けた際に携帯電話機１の脱落を防止する効果もある。
【００１４】
自在アーム３は容易に変形が可能な構造であり、先端部に携帯電話機１及び携帯電話機ホルダー２の重量を支え、その位置及び形状を保持できる剛性を有し、基部には固定手段４ａと接合できる構造を有するフレキシブルチューブ等の柔軟に動く構造物で構成されている。その長さは３０ｃｍ程度であれば良い。また、携帯電話機ホルダー２と自在アーム３の接合部分は図８−１に示すように携帯電話機ホルダー２に直角に接続する部品３aや、図８−２に示す平行に接続する部品３ｂまたは、図８−３に示す球体構造の部品３ｃや、図８−４に示す支点を有する部品３ｄ等により構成されている。
【００１５】
固定手段４ａは取り付け対象物を掴むことができる構造を有し、図１では自在アーム３を支えるのに充分な剛性と固定対象物を保持する拘束力を有するクリップで構成されている。
【００１６】
図４は本発明の他の実施例となる固定手段を変更した携帯電話機自在スタンドであり、携帯電話機自在スタンドの固定手段４を取り付け対象物に磁力を利用して吸着できる構造を有し、スイッチまたはレバーにより吸着力の加減をおこなうことで容易に脱着できる固定手段４ｂに変更したものである。
【００１７】
図５は本発明の他の実施例となる固定手段を変更した携帯電話機自在スタンドであり、携帯電話機自在スタンドの固定手段を取り付け対象物に真空圧を利用して吸着できる構造を有し、スイッチまたはレバーにより吸着力の有無切り替えをおこなうことで容易に脱着できる固定手段４ｃに変更したものである。
【００１８】
図６は、本発明の異なる実施例となる携帯電話機自在スタンドであり、ホルダー支持板５ａにより携帯電話機１の保持具として着脱可能な公知の携帯電話機ホルダー１ｃを使用した例を示している。
携帯電話機ホルダー１ｃは公知のフック状部品６ｂを固定できる構造を有しているか、面状ファスナーの引っ掛け部５ｂが貼り付けられる平面を有しているものが使用できる。
【００１９】
ホルダー支持板５ａには携帯電話機ホルダー付属の公知のフック状部品６ｂを使用して固定できる構造を有し、その表面には図７に示す様に平面状ファスナーの受け部５ｂを設けてあり、この受け部５ｂ表面に携帯電話機ホルダー１ｃ側に貼付ける剥離紙付の平面状ファスナーの引っ掛け部を用意し、フック状部品６ｂを使用せずに携帯電話機ホルダー１ｃをホルダー支持板５へ固定可能とする構成がされている。
【００２０】
自在アーム３は容易に変形が可能な構造であり、先端部に携帯電話機１及び携帯電話機ホルダー１ｃとホルダー支持板５ａの重量を支え、その位置及び形状を保持できる剛性を有し、基部には固定手段４ａと接合できる構造を有するフレキシブルチューブ等の柔軟に動く構造物で構成されている。
【００２１】
固定手段４ａは取り付け対象物をはさむことができる構造を有し、自在アーム３を支えるのに充分な剛性と固定対象物を保持する拘束力を有するクリップで構成されている。
【産業上の利用可能性】
【００２２】
前述の通り構成された本発明の携帯電話自在スタンドと映像配信機能を有する携帯電話機を使用することにより、以下に記載する産業上の利用が可能性である。
保守等のサービスを業務とする企業においてサービスを必要とする現場に熟練者を配
置する必要がなく、本発明の携帯電話機自在スタンドと映像配信機能を有する携帯電話機を使用すれば、距離に関係なく指示に必要な映像を送信し会話することで、現場の状況を正確に把握した熟練者が適切な指示をだせるため、初心者でも高度なサービス作業が可能になる。
保守等のサービスを業務とする企業において、それぞれ異なる遠隔地に存在する複数
のサービス現場を、本発明の携帯電話機自在スタンドと映像配信機能を有する携帯電話機を複数使用することにより、ひとりの熟練者が複数のサービス現場について管理及び、技術サポートをすることが可能となる。
一般家庭において、インターネット等の接続サービスを受ける際に必要となるパソコ
ンの設置や接続設定等に必要なサポートを容易に受けることができる。
上記のように、業務の現場に熟練者を出張させる必要がなく人件費および旅費を節約
できる。また、迅速なサービスを顧客に安価に提供できる。
【図面の簡単な説明】
【００２３】
【図１】本発明の携帯電話機自在スタンドの使用状態を示す斜視図である。
【図２−１】携帯電話機ホルダーとストラップの部分斜視図である。
【図２−２】携帯電話機ホルダーとストラップの部分斜視図である。
【図３】本発明の携帯電話機自在スタンドを下向きに取り付けた使用状態を示す斜視図である。
【図４】固定手段を変更した実施例の斜視図である。
【図５】固定手段を変更した実施例の斜視図である。
【図６】本発明の異なる実施例の斜視図である。
【図７】ホルダー支持板の斜視図である。
【図８−１】携帯電話機ホルダーの背面板と自在アームの接続部分の部分斜視図である。
【図８−２】携帯電話機ホルダーの背面板と自在アームの接続部分の部分斜視図である。
【図８−３】携帯電話機ホルダーの背面板と自在アームの接続部分の部分斜視図である。
【図８−４】携帯電話機ホルダーの背面板と自在アームの接続部分の部分斜視図である。
【符号の説明】
【００２４】
１ 携帯電話機
２ 携帯電話機ホルダー
３ 自在アーム
４ 固定手段
５ ホルダー支持板
【図１】
2007036437.tif 000003
【図２−１】
2007036437.tif 000004
【図２−２】
2007036437.tif 000005
【図３】
2007036437.tif 000006
【図４】
2007036437.tif 000007
【図５】
2007036437.tif 000008
【図６】
2007036437.tif 000009
【図７】
2007036437.tif 000010
【図８−１】
2007036437.tif 000011
【図８−２】
2007036437.tif 000012
【図８−３】
2007036437.tif 000013
【図８−４】
2007036437.tif 000014